(57)【特許請求の範囲】
【請求項１】
営業情報を発信するためのホームページである営業ＨＰの作成登録支援システムであって、
営業ＨＰの作成に先立って基本営業情報をＤＢに登録するための基本営業情報登録部と、
営業ＨＰ作成のためのテンプレートを複数蓄積した蓄積部と、
営業情報発信者によって選択されたテンプレートに基本営業情報を合わせて営業ＨＰを作成しＤＢに登録するＨＰ登録部と、
基本営業情報とこれに対応する営業ＨＰに利用されたテンプレートのテンプレートＩＤとを関連付けて保持する関連保持部と、
テンプレート選択支援のために基本営業情報の全部または一部を用いて基本営業情報に共通性のある既登録営業ＨＰに利用されたテンプレートＩＤで示されるテンプレートを蓄積部から抽出するテンプレート抽出部と、
を有する営業ＨＰ作成登録支援システム。
【請求項２】
テンプレート抽出部は、テンプレートを抽出する際に、基本営業情報に共通性のある既登録営業ＨＰの中で直近にテンプレートの変更がされた既登録営業ＨＰの現テンプレートを優先的に抽出する優先抽出手段を有する請求項１に記載の営業ＨＰ作成登録支援システム。
【請求項３】
蓄積部に蓄積されたテンプレートを用いて営業情報を入力させるための営業情報入力部と、
基本営業情報の全部または一部を用いて基本営業情報に共通性のある既登録営業ＨＰにおける営業情報を取得し営業情報入力部での営業情報の入力参考情報として提示する入力参考情報提示部と、
をさらに有する請求項１又は２に記載の営業ＨＰ作成登録支援システム。
【請求項４】
蓄積部は、テンプレートを業種別に蓄積する業種別蓄積手段を有する請求項１から３のいずれか一に記載の営業ＨＰ作成登録支援システム。
【請求項５】
蓄積部に蓄積されているテンプレートの利用履歴を保持する利用履歴保持部をさらに有する請求項１から４のいずれか一に記載の営業ＨＰ作成登録支援システム。
【請求項６】
営業情報を発信するためのホームページである営業ＨＰの作成登録支援システムにおいて、営業ＨＰ作成のためのテンプレートを複数蓄積部に蓄積しておいて、
営業ＨＰの作成に先立って基本営業情報をＤＢに登録するための基本営業情報登録ステップと、
基本営業情報とこれに対応する営業ＨＰに利用されたテンプレートのテンプレートＩＤとを関連付けて保持する関連保持ステップと、
テンプレート選択支援のために基本営業情報の全部または一部を用いて基本営業情報に共通性のある既登録営業ＨＰに利用されたテンプレートＩＤで示されるテンプレートを蓄積部から抽出するテンプレート抽出ステップと、
を計算機にて実行する営業ＨＰ作成登録支援方法。
【発明の詳細な説明】
【技術分野】
【０００１】
本発明は、営業ＨＰ作成登録支援システム等に関するものである。
【背景技術】
【０００２】
従来から、商品やサービスの宣伝、紹介等を表示するための営業ホームページ（以下、営業ＨＰ）を開設するにあたって、集客力のあるＨＰを容易に作成可能とする支援システムが考案されている。具体的には、特許文献１は、サーバに、項目の位置、及び、項目に表示可能な情報の属性（例えば、表示情報のタイプ、表示可能な文字の数や文字のタイプ等）が設定されているテンプレート情報を記憶するテンプレートマスタを設けておいて、営業ＨＰの運営者であるユーザの端末装置からのテンプレート情報送信要求信号に応じて、サーバがテンプレート情報を端末装置に送信して表示手段等に出力させる処理を実行する発明が提示されている。このとき、ユーザは、テンプレートマスタに記憶されているテンプレート情報の中から所望のテンプレート情報を選択する操作を行うだけで、ＨＰの構成を容易に設定することができる。
【先行技術文献】
【特許文献】
【０００３】
【特許文献１】特開２００５−００４３９２号公報
【発明の概要】
【発明が解決しようとする課題】
【０００４】
しかしながら、上記特許文献１においては、テンプレートの種類が少ない場合にはユーザの要望に沿うＨＰの作成ができない可能性がある一方で、テンプレートの種類が多すぎた場合にもユーザの選択作業が困難となり、かえってユーザのニーズに即応することが難しいという課題がある。
【課題を解決するための手段】
【０００５】
本発明はかかる実情に鑑みて、営業ＨＰ作成に先立って登録した基本営業情報の全部または一部を用いて基本営業情報に共通性のある既登録営業ＨＰに利用されたテンプレートを抽出する営業ＨＰ作成登録支援システムを提案するものである。このとき、テンプレートの利用履歴を保持しておくなどして、テンプレートを抽出する際に、直近にテンプレートの変更がされた既登録営業ＨＰの現テンプレートを優先的に抽出する場合もある。さらに、基本営業情報の全部または一部を用いて基本営業情報に共通性のある既登録営業ＨＰにおける営業情報を取得し、入力参考情報として提示する場合もある。
【発明の効果】
【０００６】
本件発明に係るＨＰ作成登録支援システムは、多数ある営業ＨＰ作成のためのテンプレートの中から基本営業情報に共通性のある既登録営業ＨＰに利用されたテンプレートを抽出することができるため、利用者の選択処理が容易になるという効果を有する。テンプレートの抽出の際に、基本営業情報に共通性のあるもので絞り込むことで、例えば同業者の営業ＨＰを参照し、流行や戦略に沿った営業ＨＰの作成ができる。
【０００７】
また、テンプレートの利用履歴を保持するなどして、直近にテンプレートの変更がされた既登録営業ＨＰの現テンプレートを優先的に抽出する場合には、最新の流行を把握し、かつ、変更によって改善されたより有益なテンプレートを営業情報発信者に提示することができる。さらに、入力参考情報を提示することで、営業情報発信者に営業情報を入力させて営業ＨＰの入力項目を充実させることができ、同業他社との差別化を図ることができる。
【図面の簡単な説明】
【０００８】
【図１】実施形態１の概要を説明するための概念図
【図２】実施形態１の機能ブロックを示した図
【図３】実施形態１のハードウェア構成を示した図
【図４】実施形態１のテンプレート選択支援処理の流れを示した図
【図５】実施形態１の営業ＨＰ作成登録処理の流れを示した図
【図６】実施形態２の概要を説明するための概念図
【図７】実施形態２の機能ブロックを示した図
【図８】実施形態２の処理の流れを示した図
【図９】実施形態３の概要を説明するための概念図
【図１０】実施形態３の機能ブロックを示した図
【図１１】実施形態３の処理の流れを示した図
【図１２】実施形態４の機能ブロックを示した図
【図１３】実施形態４の処理の流れを示した図
【発明を実施するための形態】
【０００９】
以下に、各発明を実施するための最良の形態を説明する。なお、本発明はこれら実施の形態に何ら限定されるものではなく、その要旨を逸脱しない範囲において、種々なる態様で実施しうる。
【００１０】
なお、以下の営業ＨＰ作成登録支援システムの説明は、実施形態ごとに、最初に概要図などを用いて処理全体の概要を記載し、続いて機能ブロック図に沿って各構成要件の詳細な処理内容を記載する。次に、ハードウェア構成図に沿って営業ＨＰ作成登録支援システムを計算機によって実現した際のハードウェア資源の詳細な動作内容を記載し、最後にフローチャートに沿って営業ＨＰ作成登録支援方法の処理手順や、営業ＨＰ作成登録支援システムを計算機によって実現した場合に、その計算機を制御するためのプログラムに定められた処理ステップについて説明する。
【００１１】
<<実施形態１>>
【００１２】
<実施形態１：概要>  本実施形態は、営業情報を発信するためのホームページである営業ＨＰの作成登録支援システムである。テンプレート選択支援のために基本営業情報の全部または一部を用いて基本営業情報に共通性のある既登録営業ＨＰに利用されたテンプレートを抽出する点に特徴を有する。
【００１３】
図１は、本実施形態の営業ＨＰ作成登録支援システムの一例を示すものである。本件は、営業情報の発信者による営業ＨＰの作成登録を支援することを目的とするシステムである。本システムはサーバ装置などによって構成され、そのサーバ装置内には、営業ＨＰ作成のためのテンプレートを複数蓄積している。本システムは、蓄積されたテンプレートの中から、営業情報発信者に適したテンプレートを提示して紹介することで、営業ＨＰの作成を支援する。また、営業情報発信者が営業ＨＰの作成を完了した場合には、データベース（以下、ＤＢ）に営業ＨＰを登録し、さらに、図示していないが、基本営業情報と利用されたテンプレートのテンプレートＩＤとを関連付けて保持する。ここでは、既にレストランの経営者である利用者Ａと、理容店の経営者である利用者Ｂの営業ＨＰが登録されて保持されている例を示した。
【００１４】
まず、営業情報発信者が本システムにアクセスして、店舗名、業種などの基本営業情報をＤＢに登録する（図の（１）以下同じ）。ここでは、営業情報発信者は、飲食店の経営者である例を示した。本システムは、登録された基本営業情報の全部または一部を用いて、既にＤＢに登録済みの営業ＨＰ（既登録営業ＨＰ）の中で共通性のある基本営業情報を有するものがないか検索処理を実行する（２）。ここでは、検索処理によって、同業で共通性があるとして、レストランの経営者である利用者Ａの営業ＨＰがヒットしたものとする。このとき、利用者Ａの営業ＨＰに利用されているテンプレートを抽出する（３）。抽出したテンプレートは、営業情報発信者に提示するなどして、レコメンドすることが可能となる。
【００１５】
<実施形態１：機能的構成>  図２は、本実施形態の営業ＨＰ作成登録支援システムにおける機能ブロックの一例を示したものである。なお、以下に記載する各機能ブロックは、計算機のハードウェア資源と、メモリ上に展開しハードウェアを制御することでその作用が得られるソフトウェアとの協働で実現しうる。具体的に、計算機のハードウェア資源とは、ＣＰＵ、メインメモリ、バス、あるいは二次記憶装置（ハードディスク、不揮発メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどを含む。
【００１６】
さらに、二次記憶装置から読み出してメインメモリ上に展開したプログラムに従ったＣＰＵの演算処理を行い、入力デバイスやその他インターフェースなどからの入力に応じて、メモリやハードディスク上に保持されているデータなどの加工、蓄積や、上記各ハードウェアやソフトウェアを制御するための命令の生成が実行される。さらに、本システムの機能ブロックは、専用ハードウェアによって実現されてもよい。また、上記汎用計算機や専用ハードウェアを動作させるプログラムは、モジュール化されたプログラムとして実現されてもよいし、２以上のプログラムを組み合わせて１つのプログラムとして実現されてもよい。
【００１７】
また、本実施形態はシステムやそれを構成する装置として実現できるのみでなく、方法としても実現可能である。加えて、このようなシステムの一部をソフトウェアとして構成することもできる。さらに、そのようなソフトウェアを計算機に実行させるために用いるソフトウェア製品、及び同製品を固定した記録媒体も、当然にその技術的な範囲に含まれる（本明細書の全体を通じて同様である。）。
【００１８】
図２は、本実施形態における営業ＨＰ作成登録支援システムの機能ブロックの一例を示したものである。図２に示す本実施形態の営業ＨＰ作成登録支援システム（０２００）は、「基本営業情報登録部」（０２０１）と、「蓄積部」（０２０２）と、「ＨＰ登録部」（０２０３）と、「関連保持部」（０２０４）と、「テンプレート抽出部」（０２０５）と、からなる。また、図示していないが、蓄積部（０２０２）はさらに、「業種別蓄積手段」を有する場合がある。
【００１９】
「営業ＨＰ作成登録支援システム」（０２００）は、営業情報を発信するためのホームページである営業ＨＰの作成登録を支援するシステムである。「営業情報」とは、利益を得る目的で営む事業に関する情報をいい、後述する基本営業情報と、その他の付加的な営業情報との双方を包含する情報である。具体的には、基本営業情報としては、店舗／施設に関する基本的情報（店舗／施設の名称、業種、所在地、代表者名を含む情報）が該当し、付加的な営業情報としては、商品・サービスに関する情報（商品・サービスなどのメニューと価格の紹介など）や、店舗利用時の平均予算、店舗施設の詳細情報（駐車場の台数、個室、テラス席、分煙の有無、ベビーチェアの有無など）、関連サイトへのリンク情報などが該当する。これらの営業情報を発信するためのホームページのことを営業ＨＰといい、本システムはテンプレートを提示するなどして、営業情報の発信者による営業ＨＰの作成登録を支援する。
【００２０】
「基本営業情報登録部」（０２０１）は、営業ＨＰの作成に先立って基本営業情報をＤＢに登録するための処理を行う。「基本営業情報」とは、事業を成立させるために必要な営業情報のことであり、店舗／施設に関する情報（店舗／施設の名称、業種、所在地、電話番号、代表者名を含む情報）が該当する。基本営業情報の登録処理は、営業情報の発信者がシステムにアクセスをし、入力等することによって、実現できる（矢印（１））。なお、入力は直接的に文字を入力する場合の他に、プルダウンメニューなどから選択することで入力できる場合もある。入力された基本営業情報は、ＤＢに登録するためにＨＰ登録部へ（矢印（２））、テンプレート選択支援のためにテンプレート抽出部（０２０５）へ（矢印（５））それぞれ渡す（詳細は後述する。）。
【００２１】
「蓄積部」（０２０２）は、営業ＨＰ作成のためのテンプレートを複数蓄積する。テンプレートとは、ＨＰを作成する上での雛形のことであり、営業情報などのデータを流し込むことで、目的の営業ＨＰが完成する。テンプレートは、デザインとレイアウトとの組み合わせからなるものを想定している。デザインは模様と色彩との組み合わせからなるもののことであり、レイアウトは構成要素の配置と割付けのことである。したがって、本システムは、デザインのパターン数と、レイアウトのパターン数を掛け合わせて算出されたパターン数のテンプレートを営業情報発信者に選ばせることができる。蓄積部は、テンプレートと、テンプレートを一意に識別するための識別情報であるテンプレートＩＤ（図でＴＰＩＤと表記、以下同じ）とを同種の符号を付すなどして関連付けて蓄積する。なおこのとき、蓄積部は、デザインのパターンとレイアウトのパターンを個別に管理してもよく、各デザインとデザインＩＤとを関連付け、各レイアウトとレイアウトＩＤとを関連付けておいて、テンプレートＩＤがデザインＩＤとレイアウトＩＤとの組み合わせによって構成されるとしてもよい。
【００２２】
また、図示していないが、蓄積部には業種別識別手段を設ける場合もある。「業種別蓄積手段」は、テンプレートを業種別に蓄積する。業種とは、小売業、飲食業、サービス業、通信販売業などが例示できる。なお、テンプレートを業種別に蓄積する際に、重複が生じる場合もある。テンプレートを業種別に蓄積することで、営業ＨＰの登録が充分でないなど、基本営業情報に共通性のある既登録営業ＨＰがない状況でも、レコメンドするテンプレートを見つけやすくなる。
【００２３】
「ＨＰ登録部」（０２０３）は、選択されたテンプレートに基本営業情報を合わせて営業ＨＰを作成しＤＢに登録する。テンプレートの選択は、営業情報発信者が選択入力等することによって実行する（矢印（３））。営業ＨＰの作成は、選択したテンプレートに、先に基本営業情報登録部（０２０１）から渡された基本営業情報（矢印（２））を流し込むことなどを経て完成する。完成した営業ＨＰはＤＢに登録し、関連保持部に基本営業情報とテンプレートＩＤを渡して、登録完了通知をする（矢印（４））。
【００２４】
「関連保持部」（０２０４）は、基本営業情報とこれに対応する営業ＨＰに利用されたテンプレートのテンプレートＩＤとを関連付けて保持する。先のＨＰ登録部（０２０３）からの、登録完了通知を受けて（矢印（４））、基本営業情報と、テンプレートＩＤとの関連付け処理を行う。関連付け処理は、同種の符号を付すなどして実現できる。
【００２５】
「テンプレート抽出部」（０２０５）は、テンプレート選択支援のために基本営業情報の全部または一部を用いて基本営業情報に共通性のある既登録営業ＨＰに利用されたテンプレートを蓄積部（０２０２）から抽出する。まず、テンプレート抽出部は、基本営業情報登録部（０２０１）から渡された基本営業情報（矢印（５））を用いて、関連保持部（０２０４）に保持されている基本営業情報の検索処理を実行するために、アクセスを行う（矢印（６））。共通性のある基本営業情報がヒットしたとの検索処理結果の場合には、その基本営業情報に関連付けられたテンプレートＩＤが返され（矢印（７））、受け取ったテンプレートＩＤは蓄積部（０２０２）に通知する（矢印（８））。蓄積部からテンプレートＩＤと対応するテンプレートを抽出し（矢印（９））、抽出したテンプレートは営業情報発信者に提示することができる（矢印（１０））。
【００２６】
「基本営業情報の全部または一部」に共通性があるとは、先に例示した、店舗に関する情報や、商品・サービスに関する情報の全てが共通する場合と、一部に共通する要素（例えば、業種のみなど）がある場合の両者を含む意味である。
【００２７】
「共通性がある」とは、完全に合致する場合だけでなく、包含関係（上位概念と下位概念の関係）にある場合や、類似する場合が含まれてもよい。例えば、業種に関して、いずれも「洋食店」であった場合には完全に合致するのに対して、片方が「飲食店」でもう片方が「洋食店」であれば、包含関係にあるといえる。さらに、業種が「洋食店」と「喫茶店」であれば一般的に類似しているといえる。ただし、共通性の範囲については、営業情報発信者が設定、変更することができるとしてもよい。業種に関して例示したが、その他として所在地や、店舗名称などの共通性を計るとしてもよい。
【００２８】
また、抽出したテンプレート（あるいはテンプレートだけでなく登録済みの営業ＨＰ自体）は営業情報発信者に提示する場合がある。このとき、提示するものは、最も共通性の高い登録済みの営業ＨＰに利用されたひとつのテンプレート等でもよいし、複数の場合もある。なお、テンプレートの選択時においては、デザインを選んでから、レイアウトを選び、テンプレートを決定するが、このときのそれぞれの選択画面について、参考デザインもしくは参考レイアウトのみを個別に提示するとしてもよいし、デザイン及びレイアウトの組み合わせであるテンプレートを抽出して提示するとしてもよい。
【００２９】
<実施形態１：ハードウェア構成>  図３は本実施形態の営業ＨＰ作成登録支援システムのハードウェア構成の一例を示す概略図である。この図を利用して、本システムの各構成要素の処理実行におけるそれぞれのハードウェア構成の働きについて説明する。
【００３０】
図３に示す本実施形態の営業ＨＰ作成登録支援システム（０３００）は、「ＣＰＵ（中央演算装置）」（０３０１）と、「ＲＯＭ／記憶装置」（０３０２）と、「ＲＡＭ／メインメモリ」（０３０３）と、「ＨＤＤ」（０３０４）と、「通信回路」（０３０５）とを備えている。ＲＯＭ（０３０２）はＣＰＵ（０３０１）にて実行される各種プログラムなどを記憶しており、ＲＡＭ（０３０３）はＲＯＭに記憶されているプログラムを実行するために、そのプログラムを読み出して展開する領域であるワーク領域と、データなどを一時的に格納するデータ領域とを提供する。通信回路（０３０５）を介して、トリガとなるデータなどを取得すると、ＲＡＭにプログラムやデータが読み出される。ＣＰＵは読み出された当該プログラムを参照し、ＲＯＭやＲＡＭのメモリアドレスを特定しアクセスすることで相互にデータのやり取りを行い、プログラムで示される手順に従いデータに対する各種演算処理を実行する。これにより、各部の機能やその他構成要件の演算処理に係る機能が実現される。演算処理等によって得られたデータは、システムバスなどの通信経路によって相互に接続され、データの送受信を行う。なお、ＨＤＤ（０３０４）には、営業ＨＰを登録するＤＢや、テンプレートとそのＩＤ、基本営業情報とこれに対応する営業ＨＰに利用されたテンプレートのテンプレートＩＤとが関連付けて保持されている。以上が各ハードウェア構成の機能である（本明細書において同様である。）。
【００３１】
ここから、本営業ＨＰ作成登録支援システム（０３００）における、処理についての手順を追って説明する。まず、営業ＨＰ作成登録支援システムの立ち上げに伴い、ＲＯＭに記憶されているＨＰ登録プログラムと、テンプレート抽出プログラムとをＲＡＭのワーク領域に展開する。続いて、営業情報発信者が入力デバイスを用いるなどして基本営業情報の入力操作を行った場合には、通信回路を介して基本営業情報を取得したことがトリガとなって、ＣＰＵがＲＡＭのワーク領域に展開されたテンプレート抽出プログラムを実行する。テンプレート抽出プログラムは、取得した基本営業情報を、一旦ＲＡＭのデータ領域などに格納しておいて、ＨＤＤ内に保持されている基本営業情報の検索処理を実行する。
【００３２】
具体的には、テンプレート抽出プログラムは、ＲＡＭから一部の基本営業情報を読み出して、テンプレートＩＤと関連付けて保持されている基本営業情報に共通するものが存在するか、比較処理を実行する。比較処理は、符号化された基本営業情報同士で差分を求めて、差異がない場合や、あるいは、差異が所定の範囲内である場合に、共通するとの結果を算出することで実現する。このとき、基本営業情報に差異がないものに、所定の範囲に差異があるものも含めることで、完全に一致する場合だけでなく包含関係にある場合や、類似する場合も基本営業情報が共通性を有すると判断できる。所定の範囲は、基本営業情報に所定の定数を増減するなどして、営業情報発信者が自由に設定、変更することができるとしてもよい。一部の基本営業情報を用いた比較処理が完了した場合には、ＲＡＭから読み出す基本営業情報を変更して再度比較処理を実行することもでき、最終的に基本営業情報の全部を用いて検索処理を実行することもできる。
【００３３】
テンプレート抽出プログラムは、検索結果として共通性のある基本営業情報が得られた場合に、この基本営業情報と関連付けられたテンプレートＩＤを読み出す。テンプレートＩＤはテンプレートを識別するための情報であり、テンプレートとテンプレートＩＤとは関連付けて蓄積されている。したがって、先の処理で得られたテンプレートＩＤに基づいて、このテンプレートＩＤに対応するテンプレートを読み出し、これを一旦ＲＡＭのデータ領域などに格納することで、テンプレートの抽出処理が完了する。図示していないが、抽出されたテンプレートは、通信回路を介して営業情報発信者に送信されるなどして提示されるとしてもよい。
【００３４】
なお、テンプレートの選択時においては、デザインを選んでから、レイアウトを選び、テンプレートを決定するが、このときのそれぞれの選択画面について、参考デザインもしくは参考レイアウトのみを提示するとしてもよい。具体的には、テンプレートＩＤからテンプレートを構成するデザインＩＤとレイアウトＩＤを導き出して、これらに関連付けられて蓄積されたデザインとレイアウトをそれぞれ読み出して提示することで実現できる。また、デザインの選択を受けた後に、そのデザインに対して最も多く組み合わされて選ばれているレイアウトを参考レイアウトとして抽出し、レイアウト選択画面に提示してもよい。
【００３５】
次に、営業情報発信者が入力デバイスを用いるなどしてテンプレートの選択入力操作を行った場合には、通信回路を介してテンプレートＩＤを取得したことがトリガとなって、ＣＰＵがＲＡＭのワーク領域に展開されたＨＰ登録プログラムを実行する。まずＨＰ登録プログラムは、選択入力したテンプレートに、既に入力されて一旦ＲＡＭに格納されている基本営業情報を読み出して流し込むなどして営業ＨＰを完成し、ＤＢへ登録する。登録完了後、ＨＰ登録プログラムは、基本営業情報とテンプレートＩＤとを関連付けてＨＤＤなどに保持する。具体的には、選択入力したテンプレートのテンプレートＩＤと、ＲＡＭから読み出した基本営業情報とに、新たに同じ符号を付すなどして関連付けを行う。
【００３６】
<実施形態１：処理の流れ>  図４は、本実施形態の営業ＨＰ作成登録支援システムにおけるテンプレートの選択支援処理の流れの一例を、図５は、営業ＨＰの作成登録処理の流れの一例を示したものである。なお、以下に示す処理の流れは、計算機に実行させるためのプログラムで実行することができ、またこのプログラムを計算機によって読取り可能な記録媒体に記録することができる。（本明細書のその他の処理の流れについても同様である。）
【００３７】
まず、営業情報発信者からの基本営業情報の入力を受け付ける（Ｓ０４０１）。次に、テンプレートの選択支援のために基本営業情報の全部または一部を用いて基本営業情報に共通性のある既登録営業ＨＰに利用されたテンプレートＩＤで示されるテンプレートを蓄積部から抽出する。具体的には、Ｓ０４０１にて入力された基本営業情報の一部と共通性のある基本営業情報が保持されているか検索処理を実行する（Ｓ０４０２）。検索結果として共通性のある基本営業情報が得られた場合には、これに対応する既登録営業ＨＰに利用されたテンプレートのテンプレートＩＤを受け取り（Ｓ０４０３）、受け取ったテンプレートＩＤを蓄積部に通知して、テンプレートＩＤで示されるテンプレートを抽出する（Ｓ０４０４）。抽出したテンプレートは、営業情報発信者に参考用のテンプレートとして提示することができる。このとき、抽出したテンプレートと共に、選択可能な全テンプレートの一覧を提示するようにしてもよい。
【００３８】
なお、Ｓ０４０２にて、共通性のある基本営業情報が得られなかった場合には、基本営業情報の全部を用いて検索を実行したかの判断を行う（Ｓ０４０５）。Ｓ０４０５にて、基本営業情報の全部を用いて検索処理を実行していないとの判断結果が得られた場合には、対象の基本営業情報を変更して（Ｓ０４０６）、Ｓ０４０２に戻り、検索処理を繰り返す。Ｓ０４０５にて、基本営業情報の全部を用いて検索処理を実行したとの判断結果が得られた場合には処理を終了する。図示していないが、Ｓ０４０５にて、基本営業情報の全部を用いて検索処理を実行したとの判断結果が得られた場合に処理を終了する前に、基本営業情報の共通性とは関係なくレコメンドすべきテンプレートを蓄積部（あるいは業種別蓄積手段）などから取得して提示する処理を行ってもよい。
【００３９】
続いて、図５にて示した営業ＨＰの作成登録処理においては、抽出したテンプレートなどを提示し、営業情報発信者からのテンプレートの選択入力を受け付ける（Ｓ０５０１）。次に、選択されたテンプレートに、先に入力された基本営業情報を合わせて営業ＨＰを作成し、ＤＢに登録する（Ｓ０５０２）。その後、選択されたテンプレートのテンプレートＩＤを取得し、このテンプレートＩＤと入力された基本営業情報とを関連付けて保持する（Ｓ０５０３）。
【００４０】
<実施形態１：効果>  本実施形態の営業ＨＰ作成登録支援システムは、多数ある営業ＨＰ作成のためのテンプレートの中から基本営業情報に共通性のある既登録営業ＨＰに利用されたテンプレートを抽出してレコメンド等することができるため、利用者の選択処理が容易になるという効果を有する。テンプレートの抽出の際に、基本営業情報に共通性のあるもので絞り込むことで、例えば同業者の営業ＨＰを参照し、流行や戦略に沿った営業ＨＰの作成ができる。また、基本営業情報として、業種だけでなく所在地の地域や、店舗名称などで共通性の有無を判定することもできる。前者の所在地の場合には、商圏での差別化を図ることを鑑み、また後者の店舗名称の場合には、例えば、カタカナや英字の名称なら若者の客が多いなど、ターゲットとする顧客層が重複することを考慮して、集客力の高い営業ＨＰが作成できる点が有益である。
<<実施形態２>>
【００４１】
<実施形態２：概要>  本実施形態は、テンプレートを抽出する際に、基本営業情報に共通性のある既登録営業ＨＰの中で直近にテンプレートの変更がされた既登録営業ＨＰの現テンプレートを優先的に抽出することに特徴を有する営業ＨＰ作成登録支援システムである。
【００４２】
図６は、本実施形態の営業ＨＰ作成登録支援システムの一例を示すものである。実施形態１に付加した部分を重点的に説明する。ここでは、既に飲食店の経営者である利用者Ａと、Ｂの既登録営業ＨＰが保持されている例を示した。
【００４３】
まず、飲食店の経営者である営業情報発信者が本システムにアクセスして、店舗名、業種などの基本営業情報を登録する（１）。次に、本システムは、今登録された基本営業情報の全部または一部を用いて、既に登録されて保持している既登録営業ＨＰの中で共通性のある基本営業情報を有するものがないか検索処理を実行する（２）ところまでは、図１と同様である。本実施形態においては、検索処理によって、同業で共通性があるとして、レストランの経営者である利用者ＡとＢの営業ＨＰがヒットしたものとする。ここで、本実施形態においてはさらに、基本営業情報に共通性のある既登録営業ＨＰの中で直近にテンプレートの変更がされた既登録営業ＨＰの現テンプレートを優先的に抽出することに特徴を有する。つまり、利用者ＡとＢの営業ＨＰのうち、最終の更新日時が最近の方である利用者Ａの営業ＨＰの現テンプレートを優先的に抽出する（３）。最後に、利用者Ａの既登録営業ＨＰに利用されたテンプレートを提示などして、レコメンドすることが可能となる（４）。
【００４４】
<実施形態２：機能的構成>  図７は、本実施形態の営業ＨＰ作成登録支援システムにおける機能ブロックの一例を示したものである。図７に示す本実施形態の営業ＨＰ作成登録支援システム（０７００）は、「基本営業情報登録部」（０７０１）と、「蓄積部」（０７０２）と、「ＨＰ登録部」（０７０３）と、「関連保持部」（０７０４）と、「テンプレート抽出部」（０７０５）と、からなり、テンプレート抽出部はさらに、「優先抽出手段」（０７０６）を有する。また、図示していないが、蓄積部はさらに業種別蓄積手段を有する場合がある。なお、営業ＨＰ作成登録支援システム、基本営業情報登録部、蓄積部、ＨＰ登録部、関連保持部、テンプレート抽出部の各構成要素については図２と同様なため、説明は省略する。
【００４５】
「優先抽出手段」（０７０６）は、テンプレートを抽出する際に、基本営業情報に共通性のある既登録営業ＨＰの中で直近にテンプレートの変更がされた既登録営業ＨＰの現テンプレートを優先的に抽出する。直近とは、一般的には現時点から最も近いことをいうが、ひとつのみに限定されるものではなく、最近のものから順に所定数が該当する場合がある。あるいは、所定の期間内（例えば１週間など）に変更があったものを、直近の変更に該当するとしてもよい。また、優先的な抽出とは、条件に外れたものは抽出しない場合の他に、順位付けを行って優先順位の高いものから順に提示する場合もある。
【００４６】
なお、テンプレートの変更とは、新規の登録よりも、既登録のものに変更を加えたものをより優先する意であるが、その理由は、既に登録したものを変更するということは、一般的に改善を図る意図で行われるものであり、変更に至る有用な理由があると推測でき、営業情報発信者に提示する必要が高いと考えられるためである。
【００４７】
優先的な抽出処理を実現するために、直近の変更である場合にはこれを識別するためのフラグを立てるなどの処理を行う。関連保持部（０７０４）にて、基本営業情報とこれに対応する営業ＨＰに利用されたテンプレートのテンプレートＩＤとを関連付けて保持する際に、基本営業情報ごとにフラグも設定し、適宜値を更新する。具体的には、テンプレートの変更の際に、これから変更するテンプレートのテンプレートＩＤに関連付けられたフラグを立て、既に立っているフラグを落とすなどの処理を行う。直近を複数とする場合には、フラグにナンバリングするなどしておいて、古い順にフラグを落とし、入れ替えるなどの処理を行う。あるいは、テンプレートの変更の際にフラグを立て、所定の時間経過後にフラグを落とすとしてもよい。なお、新規登録時にはフラグを立てず、テンプレートの変更時のみに上記のようなフラグの処理を行う。フラグ以外には、後述するテンプレートの利用履歴を保持しておいて、直近の変更であるかどうかをこの利用履歴に基づいて判断する場合もある。
【００４８】
テンプレート抽出部（０７０５）は、基本営業情報登録部（０７０１）から渡された基本営業情報を用いて、関連保持部（０７０４）に保持されている基本営業情報の検索処理を実行するために、アクセスを行う（矢印（６））。共通性のある基本営業情報がヒットしたとの検索処理結果の場合には、この基本営業情報に関連付けられたテンプレートＩＤとフラグを受け取る（矢印（７））。ここで、優先抽出手段（０７０６）は、この基本営業情報に共通性のある既登録営業ＨＰの中で直近にテンプレートの変更がされた既登録営業ＨＰの現テンプレートを優先的に抽出する。これは、基本営業情報ごとに設けられ、テンプレートが直近で変更された際に立てられるフラグの有無などで判断を行う。つまり、フラグの立っているテンプレートＩＤのみを蓄積部（０７０２）に通知する（矢印（８））。蓄積部からテンプレートＩＤと対応するテンプレートを抽出し（矢印（９））、営業情報発信者に提示することができる（矢印（１０））。
【００４９】
<実施形態２：ハードウェア構成>  本実施形態の営業ＨＰ作成登録支援システムのハードウェア構成については、図３を用いて説明する。また、実施形態１に付加した部分を重点的に説明する。
【００５０】
本実施形態においては、ＲＯＭにはテンプレート抽出プログラム等に加えて、図示していないが優先抽出プログラムも記憶されており、本営業ＨＰ作成登録支援システムの立ち上げに伴い、ＲＡＭのワーク領域に展開する。まず、テンプレート抽出プログラムは、ＨＤＤに共通性のある基本営業情報が保持されているか、検索処理を実行し、共通性のある基本営業情報が得られたとの検索結果の場合に、これに対応するテンプレートＩＤをＨＤＤから抽出する。ここまではすでに実施形態１にて記述したが、このときテンプレートＩＤとともに、基本営業情報に関連付けられているフラグも検索結果として一旦ＲＡＭのデータ領域などに格納する。検索結果として、基本営業情報とテンプレートＩＤとフラグがＲＡＭに格納されたことがトリガとなって、ＣＰＵがＲＡＭのワーク領域に展開された優先抽出プログラムを実行する。
【００５１】
優先抽出プログラムは、先の基本営業情報に共通性のある既登録営業ＨＰの中で直近にテンプレートの変更がされた既登録営業ＨＰの現テンプレートを優先的に抽出する。具体的に直近の変更とは、基本営業情報ごとに設けられ、テンプレートが直近で変更された際に立てられるフラグの有無などで判断を行う。優先抽出プログラムは、基本営業情報に関連付けられた直近変更を識別するフラグをＲＡＭから読み出して、そのフラグが立っているかどうかの判定も行う。フラグが１（立っている）であれば、そのテンプレートＩＤで示されるテンプレートを蓄積部から読み出して、ＲＡＭのデータ領域などに格納することで、テンプレートの抽出処理が完了する。図示していないが、抽出されたテンプレートは、通信回路を介して営業情報発信者に送信されるとしてもよい。
【００５２】
また、直近変更を識別するフラグは基本営業情報と関連付けてＨＤＤなどに格納しているが、テンプレートの変更の際に、これから変更するテンプレートに関連付けられたフラグを１とし、既に１のフラグは０に落とす。直近を複数とする場合には、フラグにナンバリングするなどしておいて、古い順にフラグを０にし、入れ替える。あるいは、テンプレートの変更時にフラグを１にして、タイマでカウントして、所定の時間経過後にフラグを０にするとしてもよい。
【００５３】
<実施形態２：処理の流れ>  図８は、本実施形態の営業ＨＰ作成登録支援システムにおける処理の流れの一例を示したものである。すでに実施形態１（図４、５）にて説明したものに付加した部分を重点的に説明する。
【００５４】
まず、営業情報発信者からの基本営業情報の入力を受け付ける（Ｓ０８０１）。次に、テンプレート選択支援のために基本営業情報の全部または一部を用いて基本営業情報に共通性のある既登録営業ＨＰに利用されたテンプレートＩＤで示されるテンプレートを蓄積部から抽出する。つまり、Ｓ０８０１にて入力された基本営業情報の一部と共通性のある基本営業情報が保持されているか検索処理を実行する（Ｓ０８０２）。検索結果として共通性のある基本営業情報が得られた場合には、これに対応する既登録営業ＨＰに利用されたテンプレートのテンプレートＩＤを受け取る（Ｓ０８０３）。ここまでは、すでに実施形態１にて説明したものと同様である。
【００５５】
続いて、先の基本営業情報に共通性のある既登録営業ＨＰの中で直近にテンプレートの変更がされた既登録営業ＨＰの現テンプレートを優先的に抽出する。具体的に直近の利用とは、テンプレートが直近で変更された際に立てられるフラグの有無などの判断を行う（Ｓ０８０４）。基本営業情報と関連付けられているフラグを読み出し、フラグが０の場合には、Ｓ０８０２に戻り、検索処理を繰り返す。Ｓ０８０４にてフラグが１の場合には、対応するテンプレートＩＤを蓄積部に通知して、テンプレートＩＤで示されるテンプレートを抽出し（Ｓ０８０５）、既に立っているフラグを０にする（Ｓ０８０６）。抽出したテンプレートは営業情報発信者に提示することができる。このとき、抽出したテンプレートと共に、選択可能な全テンプレートの一覧を提示するようにしてもよい。
【００５６】
なお、Ｓ０８０２での検索結果として共通性のある基本営業情報が得られなかった場合には、基本営業情報の全部を用いて検索を実行したかの判断を行う（Ｓ０８０７）。Ｓ０８０７にて、基本営業情報の全部を用いて検索処理を実行していないとの判断結果が得られた場合には、対象の基本営業情報を変更して（Ｓ０８０８）、Ｓ０８０２に戻り、検索処理を繰り返す。Ｓ０８０７にて、基本営業情報の全部を用いて検索処理を実行したとの判断結果が得られた場合には処理を終了する。図示していないが、Ｓ０８０７にて、基本営業情報の全部を用いて検索処理を実行したとの判断結果が得られた場合に処理を終了する前に、基本営業情報の共通性とは関係なくレコメンドすべきテンプレートを蓄積部（あるいは業種別蓄積手段）などから取得して提示する処理を行ってもよい。
【００５７】
次に営業ＨＰの作成登録処理としては、テンプレートの選択入力を受け付け（Ｓ０８０９）、選択されたテンプレートに、先に入力された基本営業情報を合わせて営業ＨＰを作成し、ＤＢに登録する（Ｓ０８１０）。その後、選択されたテンプレートのテンプレートＩＤを取得し、このテンプレートＩＤと入力された基本営業情報とを関連付けて保持する際に、直近のテンプレートの変更の有無を識別するためのフラグも関連付けて保持する（Ｓ０８１１）。
【００５８】
<実施形態２：効果>  本実施形態の営業ＨＰ作成登録支援システムは、基本営業情報に共通性のある既登録営業ＨＰの中で直近にテンプレートの変更がされた既登録営業ＨＰの現テンプレートを優先的に抽出することができるため、めまぐるしく変化する流行に即応したテンプレートの選択が可能となる。また、新規の登録よりも、既登録のものを変更することは、一般的には改善を図る意図で行われるものであり、変更に至る有用な理由があると推測できることを考慮して、直近に変更がされたテンプレートを優先して抽出する。これにより、より有益なテンプレートを営業情報発信者に提示することができる。
<<実施形態３>>
【００５９】
<実施形態３：概要>  本実施形態は、基本営業情報の全部または一部を用いて基本営業情報に共通性のある既登録営業ＨＰにおける営業情報を取得し、営業情報の入力参考情報として提示することで、営業情報を入力させることに特徴を有する営業ＨＰ作成登録支援システムである。
【００６０】
図９は、本実施形態の営業ＨＰ作成登録支援システムの概要を模式的に示したものである。本実施形態では、営業ＨＰの充実化を図るべく営業情報の入力をさせるために、営業情報発信者に対して、入力参考情報を提示する処理を行う。ここでは、営業情報発信者はレストランの経営者であるとし、基本営業情報の一部である業種に共通性のある利用者Ａの既登録営業ＨＰに基づいて、一連の処理を行う例を示した。まず、利用者Ａの既登録営業ＨＰにおける営業情報を取得する。ここでは、利用者Ａの店舗に関する情報である、店内の写真や、店舗までの地図が営業情報に該当するものとする。営業情報発信者には、先の利用者Ａの営業情報を入力参考情報として提示して（図の（１）以下同じ）、営業情報発信者の営業情報の入力を支援できる。このとき、抽出したテンプレートを提示して、テンプレート選択の支援をする場合があるが、その際に、テンプレートを用いて営業情報発信者に対して、営業情報の入力を求める（図の（２））ことができる。営業情報発信者は、利用者Ａの営業情報を参考に、テンプレートの各レイアウトにどのような項目を掲載するとより効果的であるかなどを検討し、自身の営業ＨＰをより充実させることができる。
【００６１】
<実施形態３：機能的構成>  図１０は、本実施形態の営業ＨＰ作成登録支援システムにおける機能ブロックの一例を示したものである。図１０に示す本実施形態の営業ＨＰ作成登録支援システム（１０００）は、「基本営業情報登録部」（１００１）と、「蓄積部」（１００２）と、「ＨＰ登録部」（１００３）と、「関連保持部」」（１００４）と、「テンプレート抽出部」（１００５）と、さらに、「営業情報入力部」（１００６）と、「入力参考情報提示部」（１００７）とを有する。また、図示していないが、蓄積部は業種別蓄積手段を有する場合があり、さらに、テンプレート抽出部は優先抽出手段を有する場合もある。なお、営業ＨＰ作成登録支援システム、基本営業情報登録部、蓄積部、ＨＰ登録部、関連保持部、テンプレート抽出部の各構成要素については図２と同様なため、説明は省略する。
【００６２】
「営業情報入力部」（１００６）は、蓄積部（１００２）に蓄積されたテンプレートを用いて営業情報を入力させるための処理を行う。営業情報とは、基本営業情報と、その他の付加的な営業情報との双方を包含する情報であるが、ここでは主に基本営業情報以外の付加的な営業情報を指すものである。具体的には、サービスに関する情報（商品・サービスなどのメニューと価格の紹介など）、店舗利用時の平均予算、店舗施設の詳細情報（駐車場の台数、個室、テラス席、分煙の有無、ベビーチェアの有無など）、関連サイトへのリンク情報などが該当する。
【００６３】
テンプレートを用いた営業情報を入力させるための処理とは、枠組みだけのテンプレートを提示して、営業情報発信者へ各欄への入力を促すことをいう。提示するテンプレートは、主に基本営業情報に共通性があるという条件でテンプレート抽出部（１００５）による抽出処理を経たものを想定しているが、これに限定されるものではなく、蓄積部（１００２）に蓄積されたテンプレートを提示する場合もある。入力された営業情報は、ＨＰ登録部（１００３）に渡して営業ＨＰに組み込まれて、ＤＢに登録する。
【００６４】
「入力参考情報提示部」（１００７）は、基本営業情報の全部または一部を用いて基本営業情報に共通性のある既登録営業ＨＰにおける営業情報を取得し営業情報入力部（１００６）での営業情報の入力参考情報として提示する。具体的には、基本営業情報登録部（１００１）から基本営業情報を受け取り（矢印（１））、関連保持部（１００４）に保持されている基本営業情報の検索処理を実行するために、アクセスを行う（矢印（２））。共通性のある基本営業情報がヒットした場合には、これに関連付けられたテンプレートＩＤを受け取る（矢印（３））。受け取ったテンプレートＩＤをＨＰ登録部（１００３）に通知して（矢印（４））、これを利用している営業ＨＰの営業情報を取得し（矢印（５））、取得した営業情報は入力参考情報として提示する（矢印（６））。
【００６５】
ここで、基本営業情報が共通するテンプレートを利用している営業ＨＰが複数あった場合には、登録済みの営業情報の項目が最も多い営業ＨＰ、もしくは営業情報の更新頻度が最も多い営業ＨＰを選択して、その営業情報を入力参考情報としてもよい。これにより、最も充実した内容のＨＰの情報を参考情報として提示することができる。
【００６６】
<実施形態３：ハードウェア構成>  本実施形態の営業ＨＰ作成登録支援システムのハードウェア構成については、図３を用いて説明する。また、実施形態１、２に付加した部分を重点的に説明する。
【００６７】
本実施形態においては、ＲＯＭにはテンプレート抽出プログラム等に加えて、図示していないが入力参考情報提示プログラムも記憶されており、本営業ＨＰ作成登録支援システムの立ち上げに伴い、ＲＡＭのワーク領域に展開する。テンプレート抽出プログラムは、ＨＤＤに共通性のある基本営業情報が保持されているか、検索処理を実行し、共通性のある基本営業情報が得られたとの検索結果の場合に、これに対応するテンプレートＩＤをＨＤＤから抽出する。テンプレートＩＤを一旦ＲＡＭのデータ領域などに格納したことがトリガとなって、ＣＰＵがＲＡＭのワーク領域に展開された入力参考情報提示プログラムを実行する。
【００６８】
入力参考情報提示プログラムは、入力参考情報とする営業情報を取得するが、その前提として、ＤＢに登録されている営業ＨＰは、基本営業情報と、テンプレートと、さらに営業情報とから構成されている。入力参考情報提示プログラムは、ＲＡＭからテンプレートＩＤを読み出し、これに対応するテンプレートが構成する営業ＨＰをＤＢ内で検索する。該当する営業ＨＰにおける営業情報を読み出し、その営業情報を一旦ＲＡＭのデータ領域などに格納することで、営業情報の取得処理が完了する。取得した営業情報は、入力参考情報として、通信回路を介して営業情報発信者に送信される。
【００６９】
一方、営業情報発信者が入力デバイスを用いるなどして営業情報の入力操作を行った場合には、通信回路を介してこれを取得したことがトリガとなって、ＣＰＵがＲＡＭのワーク領域に展開されたＨＰ登録プログラムを実行する。ＨＰ登録プログラムは、営業ＨＰをＤＢに登録するにあたって、基本営業情報とこれに対応する営業ＨＰに利用されたテンプレートと、さらに取得した営業情報とを関連付けて保持する。具体的には、関連保持プログラムは、通信回路を介して取得した営業情報と、既に登録されている営業ＨＰを構成する基本情報と、テンプレートとを読み出して同じ符号を付すなどして関連付けを行う。
【００７０】
<実施形態３：処理の流れ>  図１１は、本実施形態の営業ＨＰ作成登録支援システムにおける処理の流れの一例を示したものである。実施形態１（図４、５）にて説明した処理の流れに基づいて、付加した部分を重点的に説明する。
【００７１】
テンプレートの選択支援処理は、まず、営業情報発信者からの基本営業情報の入力を受け付ける（Ｓ１１０１）。次に、テンプレート選択支援のために基本営業情報の全部または一部を用いて基本営業情報に共通性のある既登録営業ＨＰに利用されたテンプレートＩＤで示されるテンプレートを蓄積部から抽出する。つまり、Ｓ１１０１にて入力された基本営業情報の一部と共通性のある基本営業情報が保持されているか検索処理を実行する（Ｓ１１０２）。検索結果として共通性のある基本営業情報が得られた場合には、これに対応する既登録営業ＨＰに利用されたテンプレートのテンプレートＩＤを受け取り（Ｓ１１０３）、このテンプレートＩＤを蓄積部に通知して、テンプレートＩＤで示されるテンプレートを抽出する（Ｓ１１０４）。さらに基本営業情報に共通性のある既登録営業ＨＰにおける営業情報を取得し、入力参考情報として提示する（Ｓ１１０５）。このとき、抽出したテンプレートは営業情報発信者に提示することができ、またテンプレートを用いて営業情報を入力させるために入力参考情報と合わせて提示してもよい。
【００７２】
ここで、抽出したテンプレートについては、デザインの選択画面に、選択可能な全デザインの一覧と共に、抽出したデザインを参考デザインとして構成して提示するようにしてもよい。さらに、デザインの選択入力を受けた後のテンプレートについては、レイアウト選択画面に、選択可能なレイアウトの一覧と共に、抽出したレイアウトを参考レイアウトとして構成して提示するようにしてもよい。また、入力参考情報については、レイアウトの選択入力を受けた後、営業情報入力画面に入力欄と共に提示するようにしてもよい。
【００７３】
なお、Ｓ１１０２での検索結果として共通性のある基本営業情報が得られなかった場合には、基本営業情報の全部を用いて検索を実行したかの判断を行う（Ｓ１１０６）。Ｓ１１０６にて、基本営業情報の全部を用いて検索処理を実行していないとの判断結果が得られた場合には、対象の基本営業情報を変更して（Ｓ１１０７）、Ｓ１１０２に戻り、検索処理を繰り返す。Ｓ１１０６にて、基本営業情報の全部を用いて検索処理を実行したとの判断結果が得られた場合には処理を終了する。図示していないが、Ｓ１１０６にて、基本営業情報の全部を用いて検索処理を実行したとの判断結果が得られた場合に処理を終了する前に、基本営業情報の共通性とは関係なくレコメンドすべきテンプレートを蓄積部（あるいは業種別蓄積手段）などから取得して提示する処理を行ってもよい。
【００７４】
次に、営業ＨＰの作成登録処理は、まず営業情報発信者からのテンプレートの選択入力を受け付け（Ｓ１１０８）、さらに営業情報の入力を受け付ける（Ｓ１１０９）。選択されたテンプレートに、先に入力された基本営業情報と、さらに営業情報を合わせて営業ＨＰを作成し、ＤＢに登録する（Ｓ１１１０）。その後、選択されたテンプレートのテンプレートＩＤを取得し、このテンプレートＩＤと入力された基本営業情報とを関連付けて保持する（Ｓ１１１１）。
【００７５】
<実施形態３：効果>  本実施形態の営業ＨＰ作成登録支援システムは、基本営業情報の全部または一部を用いて基本営業情報に共通性のある既登録営業ＨＰにおける営業情報を取得し、営業情報を入力参考情報として提示することで、営業情報発信者に営業情報を入力させて営業ＨＰの入力項目を充実させることができる。同業他社の営業ＨＰが提示されることで、営業情報発信者は営業ＨＰにどのような項目／内容を掲載するかの参考にでき、さらには、同業他社との差別化も図ることができる。つまり、エントリー店舗／施設は、入力参考情報を見て、他店の知恵を真似することもできるし、他店と差別化を図ることもできる。また、テンプレートを用いて営業情報を入力させる際には、営業情報発信者が、テンプレートの各レイアウトにどのような項目を掲載すると効果的であるか等、より具体的に検討することができる。
<<実施形態４>>
【００７６】
<実施形態４：概要>  本実施形態は、テンプレートの利用履歴を保持することに特徴を有する営業ＨＰ作成登録支援システムである。
【００７７】
<実施形態４：機能的構成>  図１２は、本実施形態の営業ＨＰ作成登録支援システムにおける機能ブロックの一例を示したものである。図１２に示す本実施形態の営業ＨＰ作成登録支援システム（１２００）は、「基本営業情報登録部」（１２０１）と、「蓄積部」（１２０２）と、「ＨＰ登録部」（１２０３）と、「関連保持部」」（１２０４）と、「テンプレート抽出部」（１２０５）と、さらに、「利用履歴保持部」（１２０６）とを有する。また、図示していないが、蓄積部はさらに業種別蓄積手段を有する場合があり、テンプレート抽出部は優先抽出手段を有する場合がある。さらに、営業ＨＰ作成登録支援システムは、営業情報入力部と、入力参考情報提示部とを有する場合がある。なお、営業ＨＰ作成登録支援システム、基本営業情報登録部、蓄積部、ＨＰ登録部、関連保持部、テンプレート抽出部の各構成要素については図２と同様なため、説明は省略する。
【００７８】
「利用履歴保持部」（１２０６）は、蓄積部（１２０２）に蓄積されているテンプレートの利用履歴を保持する。テンプレートの利用履歴とは、各営業ＨＰの新規登録時から現在までのテンプレートの利用状況を示す経過のことをいい、営業ＨＰの新規登録もしくは内容変更が実行される度の新規登録日時（選択日時）、変更日時、変更点（変更前のテンプレートのＩＤ）、変更者（基本営業情報で特定可能）などが該当する。利用履歴の情報は、ＨＰ登録部（１２０３）における選択、変更等の登録処理に伴って、ＨＰ登録部から渡され、選択されたテンプレートのテンプレートＩＤと関連付けて保持する。また、利用履歴の情報は、要求に応じてテンプレート抽出部（あるいは、優先抽出手段）へ渡す。テンプレート抽出部等では、取得したテンプレートの利用履歴に基づいて、抽出するテンプレートを決定する場合がある。
【００７９】
また、例えば、利用数に応じて各デザイン、各レイアウトにポイントを付与し、そのポイントに応じて順位付けしてもよい。この場合、新規登録時の選択による利用よりも、更新による利用の方にポイントの重みを高く設定することで、変更がされた既登録営業ＨＰの現テンプレートを優先的に提示することができる。
【００８０】
<実施形態４：ハードウェア構成>  本実施形態の営業ＨＰ作成登録支援システムのハードウェア構成については、図３を用いて説明する。また、実施形態１に付加した部分を重点的に説明する。
【００８１】
本実施形態においては、ＲＯＭにはテンプレート抽出プログラム等に加えて、図示していないが利用履歴保持プログラムも記憶されており、本営業ＨＰ作成登録支援システムの立ち上げに伴い、ＲＡＭのワーク領域に展開する。まず、営業情報発信者が入力デバイスを用いるなどしてテンプレートの選択入力操作を行った場合には、通信回路を介してテンプレートＩＤを取得したことがトリガとなって、ＨＰ登録プログラムを実行するが、このときＣＰＵがＲＡＭのワーク領域に展開された利用履歴保持プログラムも実行する。
【００８２】
利用履歴保持プログラムは、テンプレートが抽出された日時、新規登録／変更の別、変更の場合には前のテンプレートＩＤなどの利用履歴情報を、テンプレートＩＤと関連付けてＨＤＤに記録する。
【００８３】
また、図示していないが、優先抽出プログラムを実行する際には、ＨＤＤから利用履歴情報を読み出して、いずれのテンプレートが直近に変更がされたかの判断を行う。具体的には、優先抽出プログラムの実行によって、共通性のある基本営業情報と関連付けられたテンプレートＩＤを検索結果として得ている段階で、これらのテンプレートＩＤと関連付けられた利用履歴情報を導き出して、変更日時と現在日時との差分によって、直近に変更された利用履歴情報を特定する。特定した利用履歴情報に関連付けられたテンプレートＩＤを取得し、これを蓄積部に通知することでテンプレートを抽出する。抽出したテンプレートは、利用履歴に基づいた直近変更のテンプレートとして、営業情報発信者に提示することができる。
【００８４】
<実施形態４：処理の流れ>  図１３は、本実施形態の営業ＨＰ作成登録支援システムにおける処理の流れの一例を示したものである。すでに実施形態１（図４、５）にて説明したものに付加した部分を重点的に説明する。
【００８５】
まず、営業情報発信者からの基本営業情報の入力を受け付ける（Ｓ１３０１）。次に、テンプレート選択支援のために基本営業情報の全部または一部を用いて基本営業情報に共通性のある既登録営業ＨＰに利用されたテンプレートＩＤで示されるテンプレートを蓄積部から抽出する。つまり、Ｓ１３０１にて入力された基本営業情報の一部と共通性のある基本営業情報が保持されているか検索処理を実行する（Ｓ１３０２）。検索結果として共通性のある基本営業情報が得られた場合には、これに対応する既登録営業ＨＰに利用されたテンプレートのテンプレートＩＤを受け取る（Ｓ１３０３）。ここまでは、すでに実施形態１にて説明したものと同様である。
【００８６】
続いて、先の基本営業情報に共通性のある既登録営業ＨＰの中で直近にテンプレートの変更がされた既登録営業ＨＰの現テンプレートを優先的に抽出する。具体的には、直近の変更は、利用履歴に基づいて判断を行う（Ｓ１３０４）。受け取った各テンプレートＩＤと関連付けられている利用履歴情報を読み出し、現在日時と利用履歴情報の更新日時との差分を算出する。差分が所定の値よりも大きい（あるいは、他よりも大きい）場合には、Ｓ１３０２に戻り、検索処理を繰り返す。Ｓ１３０４にて差分が所定の値よりも小さい（あるいは、他よりも小さい）場合には、対応するテンプレートＩＤを蓄積部に通知して、テンプレートＩＤで示されるテンプレートを抽出する（Ｓ１３０５）。
【００８７】
なお、Ｓ１３０２での検索結果として共通性のある基本営業情報が得られなかった場合には、基本営業情報の全部を用いて検索を実行したかの判断を行う（Ｓ１３０６）。Ｓ０１３０６にて、基本営業情報の全部を用いて検索処理を実行していないとの判断結果が得られた場合には、対象の基本営業情報を変更して（Ｓ１３０７）、Ｓ１３０２に戻り、検索処理を繰り返す。Ｓ１３０７にて、基本営業情報の全部を用いて検索処理を実行したとの判断結果が得られた場合には処理を終了する。図示していないが、Ｓ１３０７にて、基本営業情報の全部を用いて検索処理を実行したとの判断結果が得られた場合に処理を終了する前に、基本営業情報の共通性とは関係なくレコメンドすべきテンプレートを蓄積部（あるいは業種別蓄積手段）などから取得して提示する処理を行ってもよい。
【００８８】
次に営業ＨＰの作成登録処理としては、テンプレートの選択入力を受け付け（Ｓ１３０８）、選択されたテンプレートに、先に入力された基本営業情報を合わせて営業ＨＰを作成し、ＤＢに登録する（Ｓ１３０９）。その後、選択されたテンプレートのテンプレートＩＤを取得し、このテンプレートＩＤと入力された基本営業情報とを関連付けて保持し（Ｓ１３１０）、さらにテンプレートの利用履歴を保持する（Ｓ１３１１）。
【００８９】
<実施形態４：効果>  本実施形態の営業ＨＰ作成登録支援システムは、テンプレートの利用履歴を保持することで、最近利用が多いテンプレートを把握でき、最新の流行や人気をテンプレートの選択時に取り入れることができる。
【符号の説明】
【００９０】
０２００    営業ＨＰ作成登録支援システム
０２０１    基本営業情報登録部
０２０２    蓄積部
０２０３    ＨＰ登録部
０２０４    関連保持部
０２０５    テンプレート抽出部
【図１】
0005617148.tif 000002
【図２】
0005617148.tif 000003
【図３】
0005617148.tif 000004
【図４】
0005617148.tif 000005
【図５】
0005617148.tif 000006
【図６】
0005617148.tif 000007
【図７】
0005617148.tif 000008
【図８】
0005617148.tif 000009
【図９】
0005617148.tif 000010
【図１０】
0005617148.tif 000011
【図１１】
0005617148.tif 000012
【図１２】
0005617148.tif 000013
【図１３】
0005617148.tif 000014